(57)【要約】【課題】ガス遮断装置に内蔵された電池の電圧が遮断弁駆動電圧以下になった場合に、外部接続機器から遮断弁駆動に必要な電圧を供給すること。【解決手段】電池４の電圧を検出し、電圧が遮断弁３の駆動電圧以下である時、外部接続機器６に電圧低下信号ｂを送信する電圧検出部７とを有する制御部８と、外部接続機器６からの電圧信号ｃを受け取ると制御部８への供給電源を電池４から外部接続機器６へと切替を行う切替部９とで構成することにより、切替部９が制御部８の電源を電池４から、外部接続機器６からの電圧信号ｃに切り替えることで遮断弁３の駆動電圧を確保することが出来る。【選択図】図１
2005172557.tif 000002
【特許請求の範囲】
【請求項１】
ガスメータのガス流路内に設けられた遮断弁と、前記ガスメータに内蔵された電池と、前記遮断弁を駆動する弁駆動部と、前記電池の電圧を検出し、検出時の電圧が前記遮断弁の駆動電圧以下であると、電圧低下検出信号及び前記弁駆動信号を出力する電圧検出部とを有し、前記電池を電源とする制御部と、外部接続機器からの電圧信号を受け取ると前記制御部への供給電源を前記電池から前記外部接続機器へと切替を行う切替部とを有するガス遮断装置。
【請求項２】
電圧検出部からの電圧低下検出信号を集中監視センタへ転送する通信部を有する請求項１に記載のガス遮断装置。
【請求項３】
外部接続機器と制御部間との接続線の抵抗値を測定する線間抵抗測定部を有した請求項１に記載のガス遮断装置。
【請求項４】
外部接続機器より電源供給時は、電圧検出部を休止させる休止部を有する請求項１に記載のガス遮断装置。
【発明の詳細な説明】
【技術分野】
【０００１】
本発明は、ガスメータ以後のガス使用時にガス使用上の安全を図るガス遮断装置に関するものである。
【背景技術】
【０００２】
従来のガス遮断装置において、遮断弁を動作させるための電源として電池が使用されており、この遮断弁を駆動できる電圧を電池が有していることを検出する機能と、電池が遮断弁を駆動できる電圧以下となり、遮断弁を駆動しガス流路閉栓後のガス使用について、電池電圧低下以後でも一定期間ガスを使用することが出来る構成となっていた（例えば、特許文献１参照）。
【０００３】
図５は、従来のガス遮断装置の構成を示すブロック図である。
【０００４】
図５おいて、ガス遮断装置１４は、所定の動作保証時間内のガス遮断装置１４の動作が可能な電池電源２１の容量が残されている消耗状態の電池電圧を検出して電圧低下信号ｄを出力する電圧低下検出部１５と、前記電圧低下信号ｄが入力されたときから遮断弁２０の開栓受け付けを行って、開栓要求（開栓要求スイッチまたは通信による開栓信号の入力による）があったときに開栓要求信号ｅを出力する開栓受付部１６と、前記電圧低下信号ｄが入力されたときから所定の動作保証時間をカウントして開栓終了信号ｆを出力するタイマー部１７と、前記開栓終了信号ｆが入力されたときに前記開栓要求信号ｅによる開栓を停止する閉栓停止信号ｇを出力する開栓機能停止部１８と、前記電圧低下信号ｄまたは前記閉栓停止信号ｇが入力されたとき遮断弁２０を閉栓動作させ、前記閉栓停止信号ｇの入力以前に前記開栓要求信号ｅが入力されたときに遮断弁２０を開栓させるガス遮断制御部１９とを備えて構成されている。
【特許文献１】特開平１０−１０３５４６号公報
【発明の開示】
【発明が解決しようとする課題】
【０００５】
しかし、従来の図５に示すようなガス遮断装置の構成では遮断弁開栓後、遮断弁を再度遮断する電圧を電池が有しているとは限らないという課題を有していた。
【０００６】
本発明は、前記従来の課題を解決するもので、電池電圧が遮断弁駆動電圧以下になった場合でも、外部接続機器より遮断弁駆動に必要な電圧を供給することで、電池消耗によりガス遮断装置交換までの間に、安全機能を確実に保有した状態でのガス使用を可能とすることを目的とする。
【課題を解決するための手段】
【０００７】
前記従来の課題を解決するために、本発明のガス遮断装置は、ガスメータのガス流路内に設けられた遮断弁と、前記ガスメータに内蔵された電池と、弁駆動信号を受信すると前記遮断弁を駆動し、前記ガス流路を閉止する弁駆動部と、前記電池の電圧を検出する電圧検出部とを有し、前記電池を電源とする制御部と、外部接続機器からの電圧信号を受け取ると制御部への供給電源を電池から外部接続機器へと切替を行う切替部とを有することで、電池電圧が遮断弁駆動電圧以下になった場合でも、外部接続機器より遮断弁駆動に必要な電圧を制御部に供給することで、電池消耗によるガス遮断装置の交換が必要となった場合、電池の電圧低下から交換作業開始までの期間中でも安全機能を確実に保持したままでのガス使用を可能とすることを目的とする。
【発明の効果】
【０００８】
本発明のガス遮断装置は、電池電圧が遮断弁駆動電圧以下になった場合でも、外部接続機器より遮断弁駆動に必要な電圧を制御部に供給することで、電池消耗によるガス遮断装置の交換が必要となった場合、電池の電圧低下から交換作業開始までの期間中でも安全機能を確実に保持したままでのガス使用を可能とすることを目的とする。
【発明を実施するための最良の形態】
【０００９】
第１の発明は、ガスメータのガス流路内に設けられた遮断弁と、前記ガスメータに内蔵された電池と、前記遮断弁を駆動する弁駆動部と、前記電池の電圧を検出する電圧検出部とを有し、前記電池を電源とする制御部と、外部接続機器からの電圧信号を受け取ると制御部への供給電源を電池から外部接続機器へと切替を行う切替部とで構成おり、電池電圧が遮断弁駆動電圧以下になった場合でも、外部接続機器より遮断弁駆動に必要な電圧を制御部に供給することで、電池消耗によるガス遮断装置の交換が必要となった場合、電池の電圧低下から交換作業開始までの期間中でも安全機能を確実に保持したままでのガス使用を可能とすることができる。
【００１０】
第２の発明は、特に第１の発明に電圧低下信号を集中監視センタへ転送する通信部を有したもので、電池の電圧が低下したことを集中監視センタに知らせることにより、電池電圧低下後速やかに現場に向かうことが出来る。
【００１１】
第３の発明は、特に第１の発明に外部接続機器と制御部間との接続線の抵抗値を測定する線間抵抗測定部を有したもので、接続線の抵抗による電圧損失分だけ外部接続機器からの供給電圧を上乗せすることにより、遮断弁駆動電圧を確保することができる。
【００１２】
第４の発明は、特に第１の発明に外部接続機器より電圧供給時は、電圧検出部を休止させる休止部を有したもので、電圧検出部を休止させることで、制御部の消費電流を抑え、外部接続機器の電源への負担を軽減させることができる。
【００１３】
以下、本発明の実施の形態について図面を参照しながら説明する。なお、この実施の形態によって本発明が限定されるものではない。
【００１４】
（実施の形態１）
図１は本発明の第１の実施の形態におけるガス遮断装置の構成図である。
【００１５】
図１において、ガスメータ１のガス流路２内に設けられた遮断弁３と、ガスメータ１に内蔵された電池４と、弁駆動信号ａを受信すると遮断弁３を駆動し、ガス流路２を閉止する弁駆動部５と、電池４の電圧を検出し、電圧が遮断弁３の駆動電圧以下である時、外部接続機器６に電圧低下信号ｂを送信する電圧検出部７とを有し、電池４を電源とする制御部８と、外部接続機器６からの電圧信号ｃを受け取ると制御部８への供給電源を電池４から外部接続機器６へと切替を行う切替部９とで構成されている。
【００１６】
本実施の形態は、電池４の電圧が遮断弁３を駆動するのに十分であるかを、電圧検出部６が測定し、電池４の電圧が遮断弁３を駆動することが出来ない電圧であった時、電圧測定部７が外部接続機器６に電圧低下信号ｂを送信する。電圧低下信号ｂを受信した外部接続機器６は電圧信号ｃを切替部９に送信する。電圧信号ｃを受信した切替部９は制御部８の電源を電池３から、外部接続機器６からの電圧信号ｃに切り替えることで遮断弁３の駆動電圧を確保することが出来る。
【００１７】
このように電池４の電圧が遮断弁駆動電圧以下になった場合でも、外部接続機器６より遮断弁３の駆動に必要な電圧を供給することで、電池消耗によるガス遮断装置の交換が必要となった場合、電池の電圧低下から交換作業開始までの期間中でも安全機能を確実に保持したままでのガス使用を可能とすることができる。
【００１８】
（実施の形態２）
図２は本発明の第２の実施の形態におけるガス遮断装置の構成図である。なお、実施の形態１と同一符号のものは同一構造を有し、説明は省略する。実施の形態１と異なる点は電圧低下信号ｂを集中監視センタへ転送する通信部１０を有したところである。
【００１９】
上記構成によれば、電池３の電圧が低下したことを電池電圧低下直後に通信部１０から集中監視センタに知らせることにより、速やかに現場へ確認に向かうことが出来る。
【００２０】
（実施の形態３）
図３は本発明の第３の実施の形態におけるガス遮断装置の構成図である。なお、実施の形態１と同一符号のものは同一構造を有し、説明は省略する。実施の形態１と異なる点は外部接続機器６と制御部８間との接続線１１の抵抗値を測定する線間抵抗測定部１２を有したところである。
【００２１】
接続線１１の線長が長い場合、電圧の損失が大きくなり、制御部８へ供給する電圧が供給元である外部接続機器６より低くなり、遮断弁３の駆動電圧を十分に確保できない可能性があった。そこで、接続線１１の抵抗を測定し、損失電圧を推定し、外部接続機器６からの供給電圧に損失電圧を上乗せすることで、遮断弁３の駆動電圧を確保することができる。接続線１１の抵抗値を測定することで電圧損失分を予め上乗せした電圧を外部接続機器６より供給することで、確実に遮断弁３を駆動することができる。
【００２２】
このように、接続線の抵抗による電圧損失分だけ外部接続機器からの供給電圧を上乗せすることにより、遮断弁の駆動電圧を確保し、電池電圧低下以後でも、遮断弁を確実に遮断することができる。
【００２３】
（実施の形態４）
図４は本発明の実施の形態４におけるガス遮断装置の構成図である。なお、実施の形態１と同一符号のものは同一構造を有し、説明は省略する。実施の形態１と異なる点は外部接続機器６より電圧供給時は、保安部と流量測定部以外の機能を休止させる休止部１３を有したところである。
【００２４】
上記構成によれば、制御部の中で保安部と流量測定部以外の機能を休止させることで、制御部８の消費電流を抑え、外部接続機器６の電源への負担を軽減させることができる。
【産業上の利用可能性】
【００２５】
以上のように、本発明にかかるガス遮断装置は、電源に電池を使用した制御部が、接続された外部機器から電源供給することが可能となるので、電池を電源とする制御部を有する機器等の用途にも適用できる。
【図面の簡単な説明】
【００２６】
【図１】本発明の実施の形態１におけるガス遮断装置の構成図
【図２】本発明の実施の形態２におけるガス遮断装置の構成図
【図３】本発明の実施の形態３におけるガス遮断装置の構成図
【図４】本発明の実施の形態４におけるガス遮断装置の構成図
【図５】従来のガス遮断装置の構成図
【符号の説明】
【００２７】
１  ガスメータ
２  ガス流路
３  遮断弁
４  電池
５  弁駆動部
６  外部接続機器
７  電圧検出部
８  制御部
９  切替部
１０  通信部
１１  接続線
１２  線間抵抗検出部
１３  休止部
【図１】
2005172557.tif 000003
【図２】
2005172557.tif 000004
【図３】
2005172557.tif 000005
【図４】
2005172557.tif 000006
【図５】
2005172557.tif 000007